(57)【要約】      （修正有）【課題】独特な審美感を表すパイプ状を呈するＬＥＤ照明装置を提供する。【解決手段】一定直径及び長さを有する光拡散ＰＣからなる内部管１０と、内部管１０の外周面に挟まれて結合される透明または半透明材質の外部管２０と、上・下面が開放された円筒形状を有し、その内周面の中央には基板安着部３２がフランジの形態で突出形成された状態で外部管２０の一端または両端に固定結合される結合部材３０と、中央にホールが穿孔された円板状からなって結合部材３０の基板安着部３２に固定設置され、その一面には多数のＬＥＤ４２が配列形成され、内部管１０及び外部管２０の内周面側に向けて所定の光源を照射するＬＥＤ基板４０、及び中央にホールが穿孔された円板状を有し、ホールの内周面から垂直方向に一定高さの延長部５２が突出形成された状態でＬＥＤ基板４０が設けられた結合部材３０の開放面に結合されて、その内部を密閉させる仕上げ部材５０と、を含めて構成される。【選択図】図２
0003219244.tif 000002
【実用新案登録請求の範囲】
【請求項１】
一定直径及び長さを有する光拡散ＰＣからなる内部管と、
前記内部管の外周面に挟まれて結合される透明または半透明材質の外部管と、
上・下面が開放された円筒形状を有し、その内周面の中央には基板安着部がフランジの形態で突出形成された状態で前記外部管の一端または両端に固定結合される結合部材と、
中央にホールが穿孔された円板状をなし、前記結合部材の基板安着部に固定設置され、その一面には多数のＬＥＤが配列形成されて前記内部管及び外部管の内周面側に向けて所定光源を照射するＬＥＤ基板と、
中央にホールが穿孔された円板状を有し、前記ホールの内周面から垂直方向に一定高さの延長部が突出形成された状態で、前記ＬＥＤ基板が設けられた結合部材の開放面に結合されて、その内部を密閉させる仕上げ部材と、を含めて構成することを特徴とする、
パイプ状を呈するＬＥＤ照明装置。
【請求項２】
前記内部管の端部及び外部管の端部は、２乃至７ミリメートル［ｍｍ］の段差を有するように構成され、前記内部管の外周面及び外部管の内周面の間には０．５乃至１．５ミリメートル［ｍｍ］の間隔が形成されるように構成されたことを特徴とする請求項１に記載のパイプ状を呈するＬＥＤ照明装置。
【請求項３】
前記ＬＥＤ基板と対応される前記仕上げ部材の対応面には、放熱のための放熱誘導ホームが円形状で凹入形成され、前記放熱誘導ホームには外部と連通される多数の放熱ホールを穿孔して構成されたことを特徴とする請求項１に記載のパイプ状を呈するＬＥＤ照明装置。
【請求項４】
前記ＬＥＤ照明装置は、スタンド型モニターのスタンド外周面に挟まれて設けられ、前記スタンドを構成するアルミニウムパイプの外周面は、銀色に塗装されることを特徴とする請求項１に記載のパイプ状を呈するＬＥＤ照明装置。
【請求項５】
前記ＬＥＤ照明装置は、スタンド型モニターに備えられたＬＥＤ照明装置と連動して多様な色で発光されるように制御が行われ、または前記スタンド型モニターまたは外部コントローラの制御信号に応じてチカチカ照明、点滅、循環モードで選択的に発光されるように制御が行われることを特徴とする請求項４に記載のパイプ状を呈するＬＥＤ照明装置。
【考案の詳細な説明】
【技術分野】
【０００１】
本考案は、パイプ状を呈するＬＥＤ（ＬＥＤ：Ｌｉｇｈｔ  Ｅｍｉｔｔｉｎｇ  Ｄｉｏｄｅ）照明装置に関するものであって、さらに詳しくは内部管及び外部管を含む特定構造ボディの一端または両端でＬＥＤ光源を照射して独特な審美感を表すＬＥＤ照明を提供する、パイプ状を呈するＬＥＤ照明装置に関するものである。
【背景技術】
【０００２】
一般的に、ＬＥＤは半導体のｐ−ｎ接合構造を用いて注入された少数キャリア（電子または正孔）を生じさせ、これらの再結合によって発光させるものである。
【０００３】
現在、様々な分野でＬＥＤを応用した多様な製品が開発して適用されているが、特に、ＬＥＤ照明装置は寿命が半永久的であって、消費電力が非常に低い長所を有しているので、多様な既存の照明手段に代替できると予想される。
【０００４】
つまり、ＬＥＤ照明装置により各種有害物質が含まれていて寿命が短い従来の電灯を代替することによって、環境汚染を減らすことができる効果があるとともに、ＬＥＤ照明装置の低電力消耗によって省エネルギー効果も得られる。
【０００５】
一方、産業用や広告用などに使用される断面または両面モニターは、通常的に一定長さを有するアルミニウムパイプからなるスタンドの上段に固定設置して使用されるように構成される。
【０００６】
この時、前記スタンドは、当該モニターを支持するとともに当該モニターの画面駆動のための各種ケーブルなどがスタンド内部に内蔵されるようにして、モニターの外部に端子やケーブルなどが露出されないようにする役割だけを行うが、これに該当モニター及びスタンドを媒介にしたさらに多様な審美感を演出したり、該当モニターの視認性を高めようとする消費者のニーズを満たすためには限界があるという問題点が発生した。
【考案の概要】
【考案が解決しようとする課題】
【０００７】
本考案は、前記のような従来の問題点を改善するために案出されたものであって、その目的は、一定長さを有する一対の管を含む特定構造のボディにＬＥＤ光源を照射して独特な審美感を表すＬＥＤ照明を提供するようにしたパイプ状を呈するＬＥＤ照明装置を提供することである。
【０００８】
本考案の他の目的は、パイプ状の照明装置を底部に固定設置されるスタンド型モニターのスタンド外周面に一体に装着して独特な審美感と共に、該当モニターの視認性を向上させることができるようにしたパイプ状を呈するＬＥＤ照明装置を提供することである。
【課題を解決するための手段】
【０００９】
前記のような目的を達成するための本考案によるパイプ状を呈するＬＥＤ照明装置は、一定直径及び長さを有する光拡散ＰＣからなる内部管と、前記内部管の外周面に挟まれて結合される透明または半透明材質の外部管と、上・下面が開放された円筒形状を有し、その内周面中央には基板安着部がフランジの形態で突出形成された状態で前記外部管の一端または両端に固定結合される結合部材と、中央にホールが穿孔された円板状をなし、前記結合部材の基板安着部に固定設置され、その一面には多数のＬＥＤが配列形成され、前記内部管及び外部管の内周面側に向かって所定光源を照射するＬＥＤ基板及び、中央にホールが穿孔された円板状を有し、前記ホール内周面からは垂直方向に一定高さの延長部が突出形成された状態で、前記ＬＥＤ基板が設けられた結合部材の開放面に結合され、その内部を密閉させる仕上げ部材を含めて構成されたことを特徴とする。
【００１０】
好ましくは、前記内部管の端部及び外部管の端部は、２乃至７ミリメートル［ｍｍ］の段差を有するように構成され、前記内部管の外周面及び外部管の内周面の間には０．５乃至１．５ミリメートル［ｍｍ］の間隔が形成されるように構成されたことを特徴とする。
【００１１】
好ましくは、前記ＬＥＤ基板と対応される前記仕上げ部材の対応面には、放熱のための放熱誘導ホームが円形状で凹入形成され、前記放熱誘導ホームには外部と連通される多数の放熱ホールを穿孔して構成されたことを特徴とする。
【００１２】
好ましくは、前記ＬＥＤ照明装置は、スタンド型モニターのスタンド外周面に挟まれて設置されるが、この時、前記スタンドを構成するアルミニウムパイプの外周面は銀色に塗装して提供されることを特徴とする。
【００１３】
さらに好ましくは、前記ＬＥＤ照明装置は、スタンド型モニターに備えられたＬＥＤ照明装置と連動して多様な色で発光されるように制御が行われたり、または前記スタンド型モニターまたは外部コントローラの制御信号に応じてチカチカ照明、点滅、循環モードで選択的に発光するように制御が行われることを特徴とする。
【考案の効果】
【００１４】
上述の通りに成された本考案によると、特定構造を有するようにパイプ状で構成されたＬＥＤ照明装置を独立した形態の照明装置またはモニターをはじめ多様な製品のスタンドに装着して使用することができるようになる。
【００１５】
この時、ＬＥＤ照明装置を独立した形態の照明装置で使用する場合、花瓶などのような用途に活用してインテリア効果を高める効果がある。
【００１６】
また、ＬＥＤ照明装置をスタンド型モニターのスタンドをはじめ、スタンド形態でできた多様な製品のスタンドに一体に装着して使用する場合、単純なスタンドの機能を脱し、ＬＥＤ照明装置としての役割を付加することができる効果があり、これによって該当製品に対する視認性を高めると共に、独特の審美感を表現できる効果もある。
【図面の簡単な説明】
【００１７】
【図１】本考案によるパイプ状を呈するＬＥＤ照明装置の外観を示す斜視図である。
【図２】本考案によるパイプ状を呈するＬＥＤ照明装置の構成を示す分離斜視図である。
【図３】本考案によるパイプ状を呈するＬＥＤ照明装置の構成を示す一部断面図である。
【図４】本考案によるパイプ状を呈するＬＥＤ照明装置の構成を示す一部分離断面図である。
【図５】本考案によるパイプ状を呈するＬＥＤ照明装置がスタンド型モニターに適用された状態を示す斜視図である。
【図６】本考案によるパイプ状を呈するＬＥＤ照明装置がスタンド型モニターに適用された状態を示す分離斜視図である。
【図７】本考案によるパイプ状を呈するＬＥＤ照明装置の動作状態を示す図面である。
【考案を実施するための形態】
【００１８】
以下、前記のように構成された本考案に対して添付図を参照して詳しく説明する。
【００１９】
図１は、本考案によるパイプ状を呈するＬＥＤ照明装置の外観を示す斜視図であり、図２は、本考案によるパイプ状を呈するＬＥＤ照明装置の構成を示す分離斜視図であり、図３及び図４は、本考案によるパイプ状を呈するＬＥＤ照明装置の構成を示す一部分断面図であり、図５及び図６は、本考案によるパイプ状を呈するＬＥＤ照明装置がスタンド型モニターに適用された状態を示す斜視図及び分離斜視図であり、図７は、本考案によるパイプ状を呈するＬＥＤ照明装置の動作状態を示す図面である。
【００２０】
まず、本考案によるパイプ状を呈するＬＥＤ照明装置は、一定長さを有する一対の管を含む特定構造のボディにＬＥＤ光源を照射して独特な審美感を表すＬＥＤ照明を提供し、これを多様な用途で活用することができるように具現される。
【００２１】
このために、本考案によるパイプ状を呈するＬＥＤ照明装置は、一定長さ及び直径を有する内部管１０及び外部管２０組立体の一端または両端に結合部材３０とＬＥＤ基板４０及び仕上げ部材５０が装着され、管の端部側から中央部に向かって所定の光源を照射するように構成される。
【００２２】
ここで、前記内部管１０は白色の光拡散ＰＣパイプからなって、約３０乃至５０センチメートル［ｃｍ］程度の長さを有し、その厚さは約１乃至５ミリメートル［ｍｍ］程度の寸法からなり、その外周面の直径は５０乃至６０ミリメートル［ｍｍ］程度（最も好ましくは５４ミリメートル［ｍｍ］内外］の寸法を有するようになる。
【００２３】
前記内部管１０は、その端部を介して前記ＬＥＤ基板４０に形成されたＬＥＤ４２からの光源が照射されるようになり、最大限光が拡散されるようにする導光板の役割を行う。この時、前記内部管１０の端部は照射されるＬＥＤ光源の直射率が最大化されるように、その切断面がポリシング過程を通じて綺麗に維持されるように成ることが好ましい。
【００２４】
前記外部管２０は、透明または半透明状態のアクリルパイプからなって、その内部に前記内部管１０が挟まれて結合されるようになる。
【００２５】
前記外部管２０の内部に内部管１０が挟まれたままの状態で前記内部管１０の端部は外部管の端部より約２乃至７ミリメートル［ｍｍ］程度（最も好ましくは４ミリメートル［ｍｍ］内外）短く設計されて相互間に段差を有するように構成される。
【００２６】
また、前記内部管１０の外周面及び外部管２０の内周面との間には、約０．５乃至１．５ミリメートル［ｍｍ］程度（最も好ましくは１ミリメートル［ｍｍ］）の間隔が形成されるように構成される。
【００２７】
そして、前記内部管１０が内蔵された外部管２０の一端または両端には、前記結合部材３０とＬＥＤ基板４０及び仕上げ部材５０の組立体が固定結合されて前記ＬＥＤ基板４０に配列されたＬＥＤ４２からの光源が前記内部管１０の端部及び前記外部管２０の内周面側に照射されるように構成される。
【００２８】
前記結合部材３０は、その上面及び下面が開放されたほぼ円筒形状からなるが、その内周面の中央には前記ＬＥＤ基板４０の設置のための基板安着部３２がフランジの形態で突出形成され、前記基板安着部３２には設置されたＬＥＤ基板４０に配列されたＬＥＤ４２が貫通された状態で位置されるように多数のＬＥＤホール３４を穿孔して構成される。
【００２９】
また、前記結合部材３０に備えられる基板安着部３２を基準に一側内周面には、前記結合部材３０が外部管２０の外周面端部側に挟まれて密着結合されるようにする密着突起３６が一定間隔で多数形成して構成される一方、前記基板安着部３２を基準に他側端部には、前記仕上げ部材５０が挟まれて結合されるように多数の結合突起３８が突出形成して構成される。
【００３０】
前記ＬＥＤ基板４０は、中央にホールが穿孔されたほぼ円板状をなし、前記結合部材３０の基板安着部３２に固定設置される。その一面に配列形成された多数のＬＥＤ４２は、前記基板安着部３２のＬＥＤホール３４を貫通するように設けられて、前記内部管１０の端部及び前記外部管２０の内周面側に所定光源を照射するようになる。
【００３１】
前記ＬＥＤ基板４０に備えられるＬＥＤ４２は、前記内部管１０の端部及び外部管２０の内周面側に向けて最大限光源が直射されるようにしなければならないので、画角４５度のレンズからなるのが好ましい。  
【００３２】
また、前記ＬＥＤ基板４０の背面には、円滑な放熱作用のために放熱テープ（未図示）が取付形成されるのが好ましい。
【００３３】
前記仕上げ部材５０は、中央にホールが穿孔されたほぼ円板状をなし、その縁端に沿って前記結合部材３０の結合突起３８と対応される多数の結合ホール５８が穿孔して構成され、前記仕上げ部材５０のホール内周面から垂直方向に一定高さの延長部５２がほぼ管状で突出形成され、前記仕上げ部材５０が前記ＬＥＤ基板４０が設けられた結合部材３０の開放面に相互対応される結合突起３８及び結合ホール５８を媒介として結合された状態で前記結合部材３０の内部を密閉させるようになる。
【００３４】
また、前記ＬＥＤ基板４０と向かい合う前記仕上げ部材５０の対応面には、放熱のための放熱誘導ホーム５４がほぼ円状で凹入形成して構成されるとともに、前記放熱誘導ホーム５４及び延長部５２には、外部と連通されるように多数の放熱ホール５６を穿孔して構成される。
【００３５】
参照符号５９は、前記結合部材３０に内蔵されたＬＥＤ基板４０の駆動のために、外部の電源供給部及びコントローラと連結されたケーブルが引入れられるケーブルホールを示す。
【００３６】
図５及び図６に示されたように、本考案によるパイプ状を呈するＬＥＤ照明装置は、スタンド型からなった一面または両面モニター１００のスタンド２００外周面に設けられて独特の審美感を表すことができるようになる。
【００３７】
この時、前記ＬＥＤ照明装置がスタンド２００に適用される際、ＬＥＤからの光源が暗い色相のスタンド２００によって照度が減少させることを防止するようにアルミニウムパイプからなったスタンドの外周面は銀色などで塗装して構成される方が好ましい。
【００３８】
そして、前記ＬＥＤ照明装置が前述のようにスタンド型モニターに適用される場合、前記モニター１００に備えられたＬＥＤ照明装置（未図示）と連動して多様な色相で発光されるように制御を行うことができる。
【００３９】
また、前記ＬＥＤ照明装置は、スタンド型モニターまたは外部コントローラと連結された状態で、所定制御信号によって赤−橙色−黄色−緑−青などの色に順次変換されて発光作用を行ったり、所定の制御信号によってチカチカ照明、点滅、循環モードなどで選択的に発光されるように制御を行うことができるのは無論である。
【００４０】
続いて、前記のように成された本考案の作用に対して図を参照して説明すると次のようである。
【００４１】
まず、本考案によるパイプ状を呈するＬＥＤ照明装置は、当該照明装置の使用環境や用途などに合わせて様々な長さ及び直径で製作することができる。
【００４２】
そして、前記ＬＥＤ照明装置は、独立的な照明装置としてムード灯に使用したり、花瓶などに活用して、インテリアの効果を高めることができ、また図５及び図６に示されたように、スタンド型モニター１００のスタンド２００に一体に装着して独特な審美感と共に、該当モニターの視認性を向上させるように提供することができる。
【００４３】
前記ＬＥＤ照明装置の動作において、外部の電源部及びコントローラ（未図示）を通じて前記ＬＥＤ基板４０に所定電源及び制御信号が認可されたことによって、前記ＬＥＤ基板４０に備えられた多数のＬＥＤ４２が駆動されるようになる。
【００４４】
これに、前記ＬＥＤ基板４０に備えられた多数のＬＥＤ４２は、その前方に向けて光源を照射することになり、この時、前記ＬＥＤ４２から発散された光源は白色の光拡散ＰＣからなった内部管１０の端部及び前記内部管１０と外部管２０との間の間隔に向けて照射された後、導光板の役割を行う前記内部管１０の拡散作用を通じて最大限光が拡散されて前記外部管２０を介して外部に発散されるようになる。
【００４５】
したがって、本考案によるＬＥＤ照明装置は、図７に示されたように、パイプ状からなるボディによって独特な形を有する照明灯で具現できる。特に、図５及び図６のように前記ＬＥＤ照明装置をスタンド型モニター１００のスタンド２００に適用させることによって、ＬＥＤ照明装置の上部にモニターが装着されたもののような独特の審美感を提供することができようになる。
【００４６】
一方、前記ＬＥＤ照明装置の動作によって、多数のＬＥＤ４２から発生する高温の熱は前記ＬＥＤ基板４０の背面に取り付けられた放熱テープを通じて１次的な放熱が行われると共に、前記仕上げ部材５０に形成された放熱誘導ホーム５４を介して誘導された後、多数の放熱ホール５６を介して円滑に外部に発散されることができるようになる。
【００４７】
本考案において、記載された内容と違う変形された実施例が導出されるとしても、本考案の技術的思想や見通しから個別的に理解されてはならず、本考案に添付された請求範囲内に属することになるのは無論である。
【符号の説明】
【００４８】
１０    内部管
２０    外部管
３０    結合部材
３２    基板安着部
３４    ＬＥＤホール
３６    密着突起
３８    結合突起
４０    ＬＥＤ基板
４２    ＬＥＤ
５０    仕上げ部材
５２    延長部
５４    放熱誘導ホーム
５６    放熱ホール
５８    結合ホール
１００  モニター
２００  スタンド
【図１】
0003219244.tif 000003
【図２】
0003219244.tif 000004
【図３】
0003219244.tif 000005
【図４】
0003219244.tif 000006
【図５】
0003219244.tif 000007
【図６】
0003219244.tif 000008
【図７】
0003219244.tif 000009
【手続補正書】
【提出日】平成30年10月22日(2018.10.22)
【手続補正１】
【補正対象書類名】実用新案登録請求の範囲
【補正対象項目名】全文
【補正方法】変更
【補正の内容】
【実用新案登録請求の範囲】
【請求項１】
一定直径及び長さを有する光拡散ＰＣからなる内部管と、
前記内部管の外周面に挟まれて結合される透明または半透明材質の外部管と、
上・下面が開放された円筒形状を有し、その内周面の中央には基板安着部がフランジの形態で突出形成された状態で前記外部管の一端または両端に固定結合される結合部材と、
中央にホールが穿孔された円板状をなし、前記結合部材の基板安着部に固定設置され、その一面には多数のＬＥＤが配列形成されて前記内部管及び外部管の内周面側に向けて所定光源を照射するＬＥＤ基板と、
中央にホールが穿孔された円板状を有し、前記ホールの内周面から垂直方向に一定高さの延長部が突出形成された状態で、前記ＬＥＤ基板が設けられた結合部材の開放面に結合されて、その内部を密閉させる仕上げ部材と、を含めて構成することを特徴とする、
パイプ状を呈するＬＥＤ照明装置。
【請求項２】
前記内部管の端部は、外部管の端部より２乃至７ミリメートル［ｍｍ］短く設計されて相互間に段差を有するように構成され、前記内部管の外周面及び外部管の内周面の間には０．５乃至１．５ミリメートル［ｍｍ］の間隔が形成されるように構成されたことを特徴とする請求項１に記載のパイプ状を呈するＬＥＤ照明装置。
【請求項３】
前記ＬＥＤ基板と対応される前記仕上げ部材の対応面には、放熱のための放熱誘導ホームが円形状で凹入形成され、前記放熱誘導ホームには外部と連通される多数の放熱ホールを穿孔して構成されたことを特徴とする請求項１に記載のパイプ状を呈するＬＥＤ照明装置。
【請求項４】
前記ＬＥＤ照明装置は、スタンド型モニターのスタンド外周面に挟まれて設けられ、前記スタンドを構成するアルミニウムパイプの外周面は、銀色に塗装されることを特徴とする請求項１に記載のパイプ状を呈するＬＥＤ照明装置。
【請求項５】
前記ＬＥＤ照明装置は、スタンド型モニターに備えられたＬＥＤ照明装置と連動して多様な色で発光されるように制御が行われ、または前記スタンド型モニターまたは外部コントローラの制御信号に応じてチカチカ照明、点滅、循環モードで選択的に発光されるように制御が行われることを特徴とする請求項４に記載のパイプ状を呈するＬＥＤ照明装置。